(57)【要約】      （修正有）【課題】高感度なセンシングが可能なタッチスイッチを提供する。【解決手段】絶縁層上に複数形成される帯状電極体６を備える静電容量式のタッチスイッチで、複数の帯状電極体は、平面視において、各帯状電極体の間に配置され隣接する各帯状電極体間を電気的に絶縁する第１絶縁領域７を設けた状態で、各帯状電極体の短手方向に沿って配置されており、各帯状電極体は、その長手方向に沿って複数配置されるタッチ電極部８と、各タッチ電極部の間に配置され隣接する各タッチ電極部間を電気的に絶縁すると共に両端部が第１絶縁領域に接続する第２絶縁領域９とを備えており、帯状電極体の短手方向と平行であって各第２絶縁領域の各端部を通る仮想領域上において、各第２絶縁領域に隣接する各第１絶縁領域を挟んだ一方側に各第２絶縁領域の端部が配置されており、他方側に各第１絶縁領域に隣接する各タッチ電極部が配置される。【選択図】図４
2012226498.tif 000002
【特許請求の範囲】
【請求項１】
絶縁層上に複数形成される帯状電極体を備える静電容量式のタッチスイッチであって、
前記複数の帯状電極体は、平面視において、前記各帯状電極体の間に配置され隣接する各帯状電極体間を電気的に絶縁する第１絶縁領域を設けた状態で、前記各帯状電極体の短手方向に沿って配置されており、
前記各帯状電極体は、その長手方向に沿って複数配置されるタッチ電極部と、前記各タッチ電極部の間に配置され隣接する各タッチ電極部間を電気的に絶縁すると共に両端部が前記第１絶縁領域に接続する第２絶縁領域とを備えており、
前記帯状電極体の短手方向と平行であって前記各第２絶縁領域の各端部を通る仮想領域上において、前記各第２絶縁領域に隣接する前記各第１絶縁領域を挟んだ一方側に前記各第２絶縁領域の端部が配置されており、他方側に前記各第１絶縁領域に隣接する前記各タッチ電極部が配置されることを特徴とする静電容量式のタッチスイッチ。
【請求項２】
前記各第２絶縁領域の一方の端部を通過する第１仮想領域と、他方の端部を通過する第２仮想領域とは、互いに重ならないように形成されていることを特徴とする請求項１に記載の静電容量式のタッチスイッチ。
【請求項３】
前記帯状電極体は、前記絶縁層の一方面上に形成されている請求項１又は２に記載の静電容量式のタッチスイッチ。
【請求項４】
前記各帯状電極体は、互いに平行となるように形成されている請求項１から３のいずれかに記載の静電容量式のタッチスイッチ。
【請求項５】
前記帯状電極体が備える複数のタッチ電極部は、前記帯状電極体の長手方向に沿って、前記帯状電極体の短手方向における幅寸法が段階的に短くなるように形成されている請求項１から４のいずれかに記載の静電容量式のタッチスイッチ。
【請求項６】
前記各第１絶縁領域は、前記各タッチ電極部から前記絶縁層の端部に向けて引き出される金属線からなる引き出し配線がそれぞれ形成されている請求項１から５のいずれかに記載の静電容量式のタッチスイッチ。
【請求項７】
前記タッチ電極部は、金属線を網目状にして形成されている請求項１から６のいずれかに記載のタッチスイッチ装置。
【発明の詳細な説明】
【技術分野】
【０００１】
本発明は、タッチスイッチに関する。
【背景技術】
【０００２】
入力位置を検出するためのタッチスイッチの構成は、従来から種々検討されており、例えば、特許文献１や特許文献２等に開示されている静電容量式タッチスイッチが知られている。特許文献１に開示されている静電容量式タッチスイッチは、それぞれ所定のパターン形状を有する透明導電体を備えた一対の透明面状体の間に誘電体層が介在されて構成されており、指などが操作面に触れると、人体を介して接地されることによる静電容量の変化を利用して、タッチ位置を検出するものである。
【０００３】
また、特許文献２には、図１２に示すように、絶縁性基板１００の一方面上に形成される透明導電膜１０１と、透明導電膜１０１から構成される複数のタッチ電極部１０２のそれぞれから引き出される引き出し配線１０３が形成される第１絶縁領域１０４とを備える静電容量式タッチスイッチ１１０が開示されている。透明導電膜１０１は、数個のタッチ電極部１０２が帯状に一列配置された帯状電極体１０５が、互いに平行となるように複数配置されて構成されており、各帯状電極体１０５の間に第１絶縁領域１０４が帯状に形成されている。また、各帯状電極体１０５におけるタッチ電極部１０２間には第２絶縁領域１０６が形成されており、タッチ電極部１０２毎に指等が触れたか否かを検知できるように構成されている。このようなタッチスイッチ１１０においては、基板１００の端部にいくにしたがって、引き出し配線１０３の数が増加するため、第１絶縁領域１０４をある程度大きく設定する必要がある。
【０００４】
このようなタッチスイッチは、例えば、ゲーム機や、券売機、会議テーブル、銀行端末（キャッシュディスペンサー）、パソコン、電子手帳、ＰＤＡ、携帯電話等における表示画面上に設置されて、ゲーム機や券売機等の操作を行うために使用されている。
【先行技術文献】
【特許文献】
【０００５】
【特許文献１】特開２００３−１７３２３８号公報（図１、図５）
【特許文献２】特開２００９−１４６４１９  （図１）
【発明の概要】
【発明が解決しようとする課題】
【０００６】
しかしながら、図１２に示すようなタッチスイッチにおいては、指等が、帯状電極体１０５間に設けられる第１絶縁領域１０４と各帯状電極体１０５においてタッチ電極部１０２間に形成される第２絶縁領域１０６とが交差する位置に触れた場合、指の太さや指の置き方によっては、タッチスイッチ１１０がタッチされたことを感度よく認識することが困難であるという問題があった。
【０００７】
本発明は、このような問題を解決するためになされたものであって、高感度なセンシングが可能なタッチスイッチを提供することを目的とする。
【課題を解決するための手段】
【０００８】
本発明の上記目的は、絶縁層上に複数形成される帯状電極体を備える静電容量式のタッチスイッチであって、前記複数の帯状電極体は、平面視において、前記各帯状電極体の間に配置され隣接する各帯状電極体間を電気的に絶縁する第１絶縁領域を設けた状態で、前記各帯状電極体の短手方向に沿って配置されており、前記各帯状電極体は、その長手方向に沿って複数配置されるタッチ電極部と、前記各タッチ電極部の間に配置され隣接する各タッチ電極部間を電気的に絶縁すると共に両端部が前記第１絶縁領域に接続する第２絶縁領域とを備えており、前記帯状電極体の短手方向と平行であって前記各第２絶縁領域の各端部を通る仮想領域上において、前記各第２絶縁領域に隣接する前記各第１絶縁領域を挟んだ一方側に前記各第２絶縁領域の端部が配置されており、他方側に前記各第１絶縁領域に隣接する前記各タッチ電極部が配置されることを特徴とする静電容量式のタッチスイッチにより達成される。
【０００９】
また、このタッチスイッチにおいて、前記各第２絶縁領域の一方の端部を通過する第１仮想領域と、他方の端部を通過する第２仮想領域とは、互いに重ならないように形成されていることが好ましい。
【００１０】
また、前記帯状電極体は、前記絶縁層の一方面上に形成されていることが好ましい。
【００１１】
また、前記各帯状電極体は、互いに平行となるように形成されていることが好ましい。
【００１２】
また、前記帯状電極体が備える複数のタッチ電極部は、前記帯状電極体の長手方向に沿って、前記帯状電極体の短手方向における幅寸法が段階的に短くなるように形成されていることが好ましい。
【００１３】
また、前記各第１絶縁領域は、前記各タッチ電極部から前記絶縁層の端部に向けて引き出される金属線からなる引き出し配線がそれぞれ形成されていることが好ましい。
【００１４】
また、前記タッチ電極部は、金属線を網目状にして形成されていることが好ましい。
【発明の効果】
【００１５】
本発明によれば、高感度なセンシングが可能なタッチスイッチを提供することができる。
【図面の簡単な説明】
【００１６】
【図１】（ａ）（ｂ）は、それぞれ本発明の実施形態に係るタッチスイッチ１の概略構成例を示す断面図である。
【図２】図１の矢視Ａ方向から見たタッチスイッチの平面図である。
【図３】図２の要部拡大平面図である。
【図４】本発明の一実施形態に係るタッチスイッチにおけるタッチ電極部、第１絶縁領域及び第２絶縁領域の位置関係を説明するための説明図である。
【図５】本発明の一実施形態に係るタッチスイッチにおけるタッチ電極部、第１絶縁領域及び第２絶縁領域の位置関係を説明するための説明図である。
【図６】（ａ）は従来型のタッチスイッチにおけるタッチ電極部の配置を示す模式図であり、（ｂ）は、本実施形態に係るタッチスイッチにおけるタッチ電極部の配置を示す模式図である。
【図７】図２に示すタッチスイッチの変形例を示す要部拡大平面図である。
【図８】図２に示すタッチスイッチの変形例を示す平面図である。
【図９】図２に示すタッチスイッチの変形例を示す要部拡大平面図である。
【図１０】図２に示すタッチスイッチの変形例を示す要部拡大平面図である。
【図１１】図２に示すタッチスイッチの変形例を示す平面図である。
【図１２】従来のタッチスイッチ構成を示す平面図である。
【発明を実施するための形態】
【００１７】
以下、本発明の実態形態にかかるタッチスイッチについて添付図面を参照して説明する。図１（ａ）（ｂ）は、それぞれ本発明の実施形態に係るタッチスイッチ１の概略構成例を示す断面図であり、図２は、図１（ａ）又は図１（ｂ）の矢視Ａ方向から見た平面図である。図３は、図２の要部拡大平面図である。尚、各図面は、構成の理解を容易にするため、実寸比ではなく部分的に拡大又は縮小されている。
【００１８】
本発明の一実施形態に係るタッチスイッチ１は、例えば、銀行端末（キャッシュディスペンサー）、券売機、パソコン、ＯＡ機器、電子手帳、ＰＤＡ、携帯電話等の表示装置に取り付けられて使用される静電容量式のタッチスイッチ１であり、図１（ａ）に示すタッチスイッチ１は、透明基板２と、透明基板２の一方面上に配置されるパターニングされた透明導電膜３と、当該透明導電膜３を被覆する保護層４とを備えている。保護層４は、粘着層５を介して透明導電膜３上に貼着されている。なお、銀行端末や券売機等の表示装置にタッチスイッチ１を取り付ける際には、保護層４側が露出面（タッチ面）となるように、透明な粘着層を介して表示装置に取り付けられる。図１（ｂ）に示すタッチスイッチ１は、図１（ａ）に示すタッチスイッチ１の構成と同様に、透明基板２と、透明基板２上に配置されるパターニングされた透明導電膜３とを備えているが、透明導電膜３が図１（ａ）とは逆の透明基板２の面上に配置されている。また、透明基板２の一方面側は、粘着層５を介して表面保護層４ａと貼着されており、透明導電膜３が形成された透明基板２の他方面側は、粘着層５を介して電極パターン保護層４ｂと貼着されている。なお、表示装置にタッチスイッチ１を取り付ける際には、保護層４ａ側が露出面（タッチ面）となるように、透明な粘着層を介して表示装置に取り付けられる。
【００１９】
透明基板２は、絶縁層を構成する誘電体基板であり、ポリエチレンテレフタレート（ＰＥＴ）、ポリイミド（ＰＩ）、ポリエチレンナフタレート（ＰＥＮ）、ポリエーテルサルフォン（ＰＥＳ）、ポリエーテルエーテルケトン（ＰＥＥＫ）、ポリカーボネート（ＰＣ）、ポリプロピレン（ＰＰ）、ポリアミド（ＰＡ）、アクリル、非晶性ポリオレフィン系樹脂、環状ポリオレフィン系樹脂、脂肪族環状ポリオレフィン、ノルボルネン系の熱可塑性透明樹脂などの合成樹脂製の可撓性フィルムやこれら２種以上の積層体、或いは、ソーダガラス、無アルカリガラス、ホウケイ酸ガラス、石英ガラスなどのガラス板により形成される。透明基板２の厚みは、特に限定されないが、例えば、合成樹脂製の可撓性フィルムにより透明基板２を構成する場合には、１０μｍ〜２０００μｍ程度とすることが好ましく、５０μｍ〜５００μｍ程度とすることがさらに好ましい。また、ガラス板により透明基板２を構成する場合には、０．１ｍｍ〜５ｍｍ程度とすることが好ましい。
【００２０】
また、可撓性を有する材料から透明基板２を形成する場合、当該透明基板２に剛性を付与するために支持体を貼着してもよい。支持体としては、ガラス板や、ガラスに準ずる硬度を有する樹脂材料を例示することができ、その厚さは１００μｍ以上であることが好ましく、０．２ｍｍ〜１０ｍｍであることがより好ましい。なお、透明基板２の表面に、濡れ性向上の為にプラズマ処理を行ったり、表面保護のためのハードコート層や、透明導電膜３の密着性改善や光学特性改善の為にアンダーコート層を設けるなど、必要な機能性膜を追加してもよい。
【００２１】
透明基板２の一方の主面上に配置されるパターニングされた透明導電膜３は、図２及び図３に示すように、所定間隔をあけて互いに平行に延びるように形成されている帯状電極体６の集合体として形成されている。複数の帯状電極体６は、平面視において、各帯状電極体６の間に配置され隣接する各帯状電極体間を電気的に絶縁する第１絶縁領域７を設けた状態で、各帯状電極体６の短手方向に沿って配置されている。第１絶縁領域７は、隣接する帯状電極体６間に形成される領域であり、各第１絶縁領域７は、互いに平行に延びるように形成されている。この第１絶縁領域７には、後述の複数のタッチ電極部８から透明基板２の端部に向けて引き出される引き出し配線１０がそれぞれ形成されている。第１絶縁領域７の幅寸法（互いに隣接する帯状電極間の距離）は、引き出し配線の幅や本数によって決まるが、安定な検出のためには、人の指の太さ以下の寸法に設定することが好ましく、例えば、１ｍｍ〜１０ｍｍ程度に設定するとよい。
【００２２】
各帯状電極体６は、その長手方向に沿って複数配置されるタッチ電極部８と、各タッチ電極部８の間に配置される第２絶縁領域９とを備えている。各タッチ電極部８は、帯状電極体６の長手方向に沿う方向に延びる対向辺を有する平行四辺形状となるように構成されており、タッチ電極部８の上記対向辺が、第１絶縁領域７との境界線を構成している。また、第２絶縁領域９は、上記のように各タッチ電極部８の間に形成され、隣接する各タッチ電極部間を電気的に絶縁する領域であり、両端部が、各帯状電極体６の両側に配置される第１絶縁領域７に接続するように構成されている。この第２絶縁領域９は、各タッチ電極間の寸法が、０．０５ｍｍ〜１ｍｍ、好ましくは０．１ｍｍ〜０．３ｍｍとなるように構成されている。また、図３に示すように、第１絶縁領域７を挟んだ一方側に配置される帯状電極体６に形成される各第２絶縁領域９ａと、他方側に配置される帯状電極体６に形成され、この第２絶縁領域９ａに最も隣接して配置される第２絶縁領域９ｂとの離間距離は、タッチ電極部８の大きさによって種々変更可能ではあるが、例えば、第１絶縁領域７を挟んで一方側に配置される第２絶縁領域９ａの端部と、他方側に配置される第２絶縁領域９ｂの端部との上下方向（帯状電極体６の長手方向に沿う方向）の離間距離Ｄが、人の指先の幅寸法の半分程度以上、つまり、約３ｍｍ以上となるように構成することが好ましい。なお、上記離間距離Ｄの最大値は、タッチ電極部８の側辺であって帯状電極体６の長手方向に沿って延びる側辺の長さの１／２程度に設定することが好ましい。
【００２３】
また、本発明におけるタッチスイッチ１においては、図４の説明図に示すように、帯状電極体６の短手方向と平行であって各第２絶縁領域９の各端部を通る仮想領域Ｌを想定した場合に、この仮想領域Ｌ上において、各第２絶縁領域９に隣接する各第１絶縁領域７を挟んだ一方側に各第２絶縁領域９の端部が配置されており、他方側に各第１絶縁領域７に隣接する各タッチ電極部８が配置されるように構成されている。ここで、仮想領域Ｌとは、仮想的な直線状領域のことであって、各第２絶縁領域９の各端部を挟んで上下方向（帯状電極体６の長手方向）に配置される各タッチ電極部のコーナー部がその側縁上（帯状電極体６の短手方向に沿って延びる側縁上）に配置される領域のことをいう。特に本実施形態においては、タッチ電極部８を平行四辺形状となるように構成しているため、図５に示すように、各第２絶縁領域９の一方の端部を通過する第１仮想領域Ｌ１と、他方の端部を通過する第２仮想領域Ｌ２とは、互いに重ならないように形成されている。
【００２４】
透明導電膜３の材料としては、インジウム錫酸化物（ＩＴＯ）、酸化インジウム、アンチモン添加酸化錫、フッ素添加酸化錫、アルミニウム添加酸化亜鉛、カリウム添加酸化亜鉛、シリコン添加酸化亜鉛や、酸化亜鉛−酸化錫系、酸化インジウム−酸化錫系、酸化亜鉛−酸化インジウム−酸化マグネシウム系、酸化亜鉛、スズ酸化膜等の透明導電材料、或いは、スズ、銅、アルミニウム、ニッケル、クロムなどの金属材料、金属酸化物材料を例示することができ、これら２種以上を複合して形成してもよい。また、酸やアルカリに弱い金属単体でも導電材料として使用できる。
【００２５】
また、カーボンナノチューブやカーボンナノホーン、カーボンナノワイヤ、カーボンナノファイバー、グラファイトフィブリルなどの極細導電炭素繊維や銀素材からなる極細導電繊維をバインダーとして機能するポリマー材料に分散させた複合材を透明導電膜３の材料として用いることもできる。ここでポリマー材料としては、ポリアニリン、ポリピロール、ポリアセチレン、ポリチオフェン、ポリフェニレンビニレン、ポリフェニレンスルフィド、ポリｐ−フェニレン、ポリ複素環ビニレン、PEDOT：poly(3,4-ethylenedioxythiophene)などの導電性ポリマーを採用することができる。また、ポリエチレンテレフタレート（ＰＥＴ）、ポリエチレンナフタレート（ＰＥＮ）、ポリエーテルサルフォン（ＰＥＳ）、ポリエーテルエーテルケトン（ＰＥＥＫ）、ポリカーボネート（ＰＣ）、ポリプロピレン（ＰＰ）、ポリアミド（ＰＡ）、アクリル、ポリイミド、エポキシ樹脂、フェノール樹脂、脂肪族環状ポリオレフィン、ノルボルネン系の熱可塑性透明樹脂などの非導電性ポリマーを採用することができる。
【００２６】
透明導電膜３の材料として、特にカーボンナノチューブを非導電性ポリマー材料に分散させたカーボンナノチューブ複合材を採用した場合、カーボンナノチューブは、直径が一般的には０．８ｎｍ〜１．４ｎｍ(1ｎｍ前後)と極めて細いので、１本或いは１束ずつ非導電性ポリマー材料中に分散することでカーボンナノチューブが光透過を阻害することが少なくなり透明導電膜３の透明性を確保する上で好ましい。
【００２７】
透明導電膜３の形成方法は、スパッタリング法、真空蒸着法、イオンプレーティング法などのＰＶＤ法や、ＣＶＤ法、塗工法、印刷法などを例示することができる。また、透明導電膜３の厚みは、例えばスパッタリング法でＩＴＯ膜を成膜する場合は、６０ｎｍ以下であることが好ましく、３０ｎｍ以下であることがより好ましい。なお、膜厚が５ｎｍ以下では連続した膜になり難く、安定な導電層を形成することは困難である。
【００２８】
透明導電膜３のパターニングは、透明基板２上に形成された透明導電膜３の表面に、所望のパターン形状を有するマスク部を形成して露出部分を酸液などでエッチング除去した後、アルカリ液などによりマスク部を溶解させて行うことができる。
【００２９】
引き出し配線１０の形成方法は、（A）極微細な導電性粒子を含む導電性ペーストを透明基板２上にスクリーン印刷する方法（特開２００７−１４２３３４等参照）、（B）銅などの金属箔を透明基板２上に積層し、金属箔の上にレジストパターンを形成し、金属箔をエッチングする方法（特開２００８−３２８８４等参照）が挙げられる。また、引き出し配線１０を上述の透明導電膜３と同様の材料（インジウム錫酸化物（ＩＴＯ）や導電性ポリマー等）により形成してもよい。引き出し配線１０を透明導電膜３と同じ材料で形成する場合、透明導電膜３のパターニング手法と同手法や、上記（B）の形成方法、レーザー照射により不要な透明導電膜３を除去する方法等を採用することができる。
【００３０】
上記（A）の形成方法における導電性粒子としては、銀を主成分とする微粒子を挙げることができる。また、例えば、金、銀、銅、金と銀の合金、金と銅の合金、銀と銅の合金、金と銀と銅の合金のいずれか一を主成分とする微粒子でもよい。また、インジウム錫酸化物（ＩＴＯ）、酸化インジウムに酸化亜鉛を混合した導電性酸化物（ＩＺＯ［ｉｎｄｉｕｍ
ｚｉｎｃ ｏｘｉｄｅ］）、または酸化インジウムに酸化珪素を混合した導電性酸化物（ＩＴＳＯ）を主成分とする微粒子でもよい。
【００３１】
また、引き出し配線１０の形成方法は、上記（A）（B）の形成方法に限定されることはなく、上記（A）以外のグラビア印刷などの印刷方法や上記（B）以外のフォトリソグラフィを使用してもよい。
【００３２】
保護層４は、透明基板２の一方面側に配置される透明導電膜３を保護するものであり、ポリエチレンテレフタレート（ＰＥＴ）、ポリイミド（ＰＩ）、ポリエチレンナフタレート（ＰＥＮ）、ポリエーテルサルフォン（ＰＥＳ）、ポリエーテルエーテルケトン（ＰＥＥＫ）、ポリカーボネート（ＰＣ）、ポリプロピレン（ＰＰ）、ポリアミド（ＰＡ）、アクリル等から形成した透明なフィルム体や、ソーダガラス、無アルカリガラス、ホウケイ酸ガラス、石英ガラスなどのガラス板により構成される。なお、フィルム体やガラス板の代わりに、透明な樹脂を透明導電膜３上に積層して保護層４を形成してもよい。この保護層４の厚みは、特に限定されないが、０．１ｍｍ〜１０ｍｍ程度とすることが好ましい。
【００３３】
粘着層５は、エポキシ系やアクリル系など、一般的な透明接着剤を用いることができ、ポリエステル系樹脂の透明性フィルムからなる芯材を含むものであってもよい。また、シート状粘着材を複数枚重ね合わせることにより粘着層５を形成してもよく、更に、複数種類のシート状粘着材を重ね合わせて形成してもよい。粘着層５の厚みは、特に指定はないが、実用上では２００μｍ以下であることが好ましい。
【００３４】
以上の構成を備えるタッチスイッチ１において、タッチ位置の検出方法は、従来の静電容量式のタッチスイッチと同様であり、タッチスイッチ１の表面側に指などで触れると、タッチ電極部８で静電容量の変化が生じる。引き出し配線１０を介して接続された検出回路で前記静電容量の変化を検出することによって、タッチ電極部８に指などが触れたか否かを判定する。
【００３５】
本実施形態に係るタッチスイッチ１は、上述のように、帯状電極体６の短手方向（隣接方向）と平行であって各第２絶縁領域９の各端部を通る仮想領域Ｌ上において、各第２絶縁領域９に隣接する各第１絶縁領域７を挟んだ一方側に各第２絶縁領域９の端部が配置されており、他方側に各第１絶縁領域７に隣接する各タッチ電極部８が配置される構成を有しているため、精度よくセンシングを行うことが可能となる。図６を用いて具体的に説明する。なお、図６（ａ）は従来型のタッチスイッチ１１０におけるタッチ電極部１０２の配置を示す模式図であり、図６（ｂ）は、本実施形態に係るタッチスイッチ１におけるタッチ電極部８の配置を示す模式図である。
【００３６】
まず、従来型の構成においては、第１絶縁領域１０４とこの第１絶縁領域１０４の両側に配置される２つの第２絶縁領域１０６とが十字状に交差するため、この交差位置（図６（ａ）中において○で示される位置）を指でタッチした場合、人体を介して接地されることによる静電容量の変化は、交差位置近傍の４つのタッチ電極部１０２に分散されることになる。その結果、一つ当たりのタッチ電極部１０２おいて検出される静電容量の変化が小さくなってしまい、感度良くタッチ検出を行うことが困難となる。
【００３７】
これに対し、図６（ｂ）に示す本発明に係るタッチおパネルによれば、第１絶縁領域７と第２絶縁領域９とが十字状に交差する領域が存在しないため、従来型のタッチスイッチ１において発生していたような問題が発生せず、高感度でタッチ位置をセンシングすることが可能となる。つまり、図６（ｂ）において○で示す位置（第１絶縁領域７と一つの第２絶縁領域９が交差する位置）を指でタッチした場合であっても、Ｎｏ１で示されるタッチ電極部８に相当する領域と指との接触面積を大きく確保することが可能となるため、このＮｏ１で示されるタッチ電極部８が静電容量の変化を確実に検出することができ、第１絶縁領域７上のどの位置をタッチしたとしても、タッチスイッチ１は感度良くタッチ位置を検出することができることになる。
【００３８】
また、本実施形態においては、各第２絶縁領域９の一方の端部を通過する第１仮想領域Ｌ１と、他方の端部を通過する第２仮想領域Ｌ２とが、互いに重ならないように形成されている。このような構成によれば、帯状電極体６の隣接方向（帯状電極体６の短手方向）に並ぶ各タッチ電極部８の中心位置が一直線上に並ぶように、各タッチ電極部８を配列させることが可能となり、タッチスイッチ１をゲーム機や券売機等の各種装置の操作手段として活用する際の利便性を向上させることができる。
【００３９】
以上、本発明に係るタッチスイッチ１の一実施形態について説明したが、具体的構成は、上記実施形態に限定されない。例えば、上記実施形態において、タッチスイッチ１が有する各タッチ電極部８を、金属線により網目状となるように構成してもよい。網目状の具体例としては、図７に示すように、金属線を格子状にした形状を挙げることができる。格子状形状としては、透明基板２の各辺に平行となるように金属線を配置して格子状形状を形成してもよく（図７（ａ））、透明基板２の各辺に対して所定角度傾くように金属線を配置して格子状形状を形成してもよい（図７（ｂ））。金属線は、極細線であり、金属線同士は略等間隔に並べられている。金属線の線幅は、５μｍ〜５０μｍの範囲とすることが好ましく、特に１０μｍ〜３０μｍの範囲とすることが好ましい。また、隣接する金属線同士の間隔は、１００μｍ〜１０００μｍの範囲とすることが好ましい。タッチ電極部８を構成する金属線の形成方法は、上述の引き出し配線１０の形成方法と同様であり、（A）極微細な導電性粒子を含む導電性ペーストを透明基板２上にスクリーン印刷する方法、（B）銅などの金属箔を透明基板２上に積層し、金属箔の上にレジストパターンを形成し、金属箔をエッチングする方法が挙げられる。
【００４０】
また、上記実施形態においては、透明基板２の一方面側に複数の帯状電極体６を形成することによりタッチスイッチ１を構成しているが、タッチスイッチ１の平面視において、複数の帯状電極体６が、各帯状電極体６の間に配置される第１絶縁領域７を設けた状態で、各帯状電極体６の短手方向に沿って配置されていればよい。したがって、タッチスイッチ１の一方面側から見た場合に、図２に示すような配置で複数の帯状電極体６が設けられている構成を採用することが可能であり、例えば、図２の平面図において奇数番号で示される帯状電極体６を透明基板２の一方面側に形成し、偶数番号で示される帯状電極体６を透明基板２の他方面側に形成してもよい。
【００４１】
また、上記実施形態においては、全てのタッチ電極部８の形状が平行四辺形状となるように構成しているが、このような構成に特に限定されず、例えば、図８に示すように、タッチスイッチ１の上辺部側及び下辺部側に配置されるタッチ電極部８の形状を台形形状となるように形成してもよい。
【００４２】
また、上記実施形態においては、各タッチ電極部８を平行四辺形状となるように構成しているため、図５に示すように、各第２絶縁領域９の一方の端部を通過する第１仮想領域Ｌ１と、他方の端部を通過する第２仮想領域Ｌ２とは、互いに重ならないように形成されているが、このような構成に特に限定されず、例えば、図９に示すように、各タッチ電極部８を矩形状となるように構成し、各第２絶縁領域９の一方の端部を通過する第１仮想領域Ｌ１と、他方の端部を通過する第２仮想領域Ｌ２とが重なるように構成してもよい。更に、図１０に示すように、各帯状電極体６が備える複数のタッチ電極部８は、帯状電極体６の長手方向（図１０においては上下方向）に沿って、帯状電極体６の短手方向（図１０においては左右方向）における幅寸法が段階的に短くなるように形成してもよい。
【００４３】
また、上記実施形態においては、各第２絶縁領域９の一方の端部を通過する第１仮想領域Ｌ１と、他方の端部を通過する第２仮想領域Ｌ２とが重ならないように構成されるタッチ電極部８として、帯状電極体６の長手方向に沿う方向に延びる対向辺を有する平行四辺形状のタッチ電極部８を例示したが、このような形状に特に限定されず、例えば、図１１に示すような形状となるようにタッチ電極部８を構成してもよい。図１１においては、タッチ電極部８間に形成される第２絶縁領域９は、互いに平行な水平直線部９１，９１と、水平直線部９１，９１に垂直な垂直直線部９２とを備えており、一方の水平直線部９１の一端部と、他方の水平直線部９１の一端部とを、垂直直線部９２が接続するように構成して、上下に並ぶタッチ電極部８を区画するように形成されている。
【符号の説明】
【００４４】
１  タッチスイッチ
２  透明基板
３  透明導電膜
４  保護層
５  粘着層
６  帯状電極体
７  第１絶縁領域
８  タッチ電極部
９  第２絶縁領域
１０  引き出し配線
【図１】
2012226498.tif 000003
【図２】
2012226498.tif 000004
【図３】
2012226498.tif 000005
【図４】
2012226498.tif 000006
【図５】
2012226498.tif 000007
【図６】
2012226498.tif 000008
【図７】
2012226498.tif 000009
【図８】
2012226498.tif 000010
【図９】
2012226498.tif 000011
【図１０】
2012226498.tif 000012
【図１１】
2012226498.tif 000013
【図１２】
2012226498.tif 000014